【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】
シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記散水ノズルの通水孔の上流内側には、フィルターを配置しており、かつ、前記吐水口部が着脱自在に前記流路切替筒に取り付けられていることを特徴とするシャワーヘッド。
【請求項２】
シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の爪部を、略円筒形状のプレートを用いて前記シャワーヘッド本体と挟み込んで保持するようにプレートとシャワーヘッド本体とは係止接続されていることを特徴とするシャワーヘッド。
【請求項３】
シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の爪部を、前記略円筒形状のプレートを用いて前記シャワーヘッド本体と挟み込むように保持し、かつ、前記プレートの内周面に複数の通水溝を形成し、この通水溝を経由して前記散水ノズルへ湯水を供給することを特徴とするシャワーヘッド。
【請求項４】
シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の上方に爪部が形成されており、かつ、前記シャワーヘッド本体の内部に溝に連動した複数の凹部が設けられており、前記流路切替筒を回転して吐水形態を切替るときに、前記爪部が凹部から凹部へ溝を経由して移動することを特徴とするシャワーヘッド。
【請求項５】
シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記散水板は、吐水形態を切替える切替ハンドルを形成したカバーを位置決めして保持し、さらに、前記散水板を前記流路切替筒に固定する吐水口部にて保持したことを特徴とするシャワーヘッド。
【手続補正２】
【補正対象書類名】明細書
【補正対象項目名】０００８
【補正方法】変更
【補正の内容】
【０００８】
【課題を解決するための手段】
そこで、本発明の請求項１では、シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記散水ノズルの通水孔の上流内側には、フィルターを配置しており、かつ、前記吐水口部が着脱自在に前記流路切替筒に取り付けられていることを特徴とするシャワーヘッドとした。
【手続補正３】
【補正対象書類名】明細書
【補正対象項目名】０００９
【補正方法】変更
【補正の内容】
【０００９】
これにより、吐水切替を行えるシャワーヘッドにおいて、容易に組み立てられるとともに使用者にとってもメンテナンス性の優れたシャワーヘッドを提供することができる。
つまり、吐水口部を取り外すことにより、散水板、散水ノズルを取り外すことができる。そのため散水ノズルの上流内側に配置したフィルターを清掃することができる。よって、通水中に混入した異物を取り除くことができる。
特に、本願にて提案するシャワー感のある複数の孔径の小さい散水孔から吐水される泡沫状のシャワーにおいては、散水ノズルの通水孔の孔径を小さくする必要がある。そのため、通水中の異物がこの通水孔を塞がないようにして、常にシャワー感のある泡沫状のシャワーが得られるようにしなければならない。そこで、通水孔径よりも目の細かいフィルターを通水孔の上流側に配置することで、異物を除去し、異物によって通水孔を塞がないようにすることができるのである。
さらに、本発明のように吐水口部を取り外すことにより、簡単にフィルターを清掃することができ、また、吐水切替のための機構本体である流路切替筒はシャワーヘッド本体側に保持されているため、外れることもなく再度組み立てることも容易であり、使用者にとってもメンテナンスしやすい。
そして、流路切替筒の内側、外側を利用して吐水形態の流路を切り替えるので、従来に比べて構造を簡素化できコンパクト化が図れる。
なお、シャワーヘッド本体の通水路中に弁座を位置決めして配置しているとは、シャワーヘッド本体とは別体の弁座を回転しないように配置しても、シャワーヘッド本体と弁座とを一体成形してもよく、弁座が流路切替筒の回転に伴って共回りしない構造であればよい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の請求項２では、シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の爪部を、略円筒形状のプレートを用いて前記シャワーヘッド本体と挟み込んで保持するようにプレートとシャワーヘッド本体とは係止接続されていることを特徴とするシャワーヘッドとした。
【手続補正７】
【補正対象書類名】明細書
【補正対象項目名】００１４
【補正方法】変更
【補正の内容】
【００１４】
本発明の請求項３では、シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の爪部を、前記略円筒形状のプレートを用いて前記シャワーヘッド本体と挟み込むように保持し、かつ、前記プレートの内周面に複数の通水溝を形成し、この通水溝を経由して前記散水ノズルへ湯水を供給することを特徴とするシャワーヘッドとした。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
本発明の請求項４では、シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記流路切替筒の上方に爪部が形成されており、かつ、前記シャワーヘッド本体の内部に溝に連動した複数の凹部が設けられており、前記流路切替筒を回転して吐水形態を切替るときに、前記爪部が凹部から凹部へ溝を経由して移動することを特徴とするシャワーヘッドとした。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明の請求項５では、シャワーヘッド本体の通水路中に弁座を位置決めして配置し、さらに略円筒形の流路切替筒の上面を前記弁座の下面に当接して、かつ、前記流路切替筒を回転自在に配置し、前記流路切替筒の外側に通水孔を有する散水ノズルと散水孔を有する散水板を配置し、吐水口部は前記流路切替筒に取り付けられ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔からシャワー吐水を行い、前記流路切替筒の内側に通水したときに、前記吐水口部に形成した吐水口から吐水されるシャワーヘッドであって、前記散水板は、吐水形態を切替える切替ハンドルを形成したカバーを位置決めして保持し、さらに、前記散水板を前記流路切替筒に固定する吐水口部にて保持したことを特徴とするシャワーヘッドとした。
【手続補正１４】
【補正対象書類名】明細書
【補正対象項目名】００４１
【補正方法】変更
【補正の内容】
【００４１】
散水板１０の散水孔１０１は、散水ノズル８からの吐水が網１ １ で撹乱され、その過程で空気を混入しながら泡沫状吐水となったものを通す必要があるため、通水孔８１よりも大きくすることが好ましい。
ただし、大きくしすぎると散水孔１０１からの吐水が太くなり流速も下がるため、シャワー感や洗浄力が低下してしまう。
つまり、図５に示すように散水孔１０１の内部側の径を大きくすることで、通水孔８１からの通水を十分に散水孔１０１に受けてその孔内に通すことができ、外部側の径を小さくすることでシャワー感のある吐水径で十分な流速の吐水を得ることができる。そのため、たとえば、具体的な形状としては、円錐形状の散水孔１０１とするとよい。なお、このように散水孔１０１の内部側の径と外部側の径を変えた場合には、散水孔１０１の孔径とは、外部側の径を示す。そして、外部側の径を直径１．５ｍｍと直径２．１ｍｍの場合には、内部側の径を直径２．６ｍｍ とした。